(57)【要約】【課題】多数の合成樹脂製の板材を並設して歩行面を形成する敷設材に、歩行時に帯電する静電気を除去するための手段を簡易に付設可能にした敷設材を提供する。【解決手段】多数の合成樹脂製の板材１を並設して設置することにより歩行面１０を形成する敷設材を、歩行面の除電域１１における上記板材間に、導電性粉末を含有するゴム弾性材により形成されて導電性が付与されている除電目地材３を挿着することにより構成する。上記除電目地材３は、上記板材間の目地を覆う覆板４と、該覆板と一体で該目地に挿着される脚部５とを有する長尺材として形成する。【選択図】図１
2010112080.tif 000002
【特許請求の範囲】
【請求項１】
多数の合成樹脂製の板材を並設して設置することにより歩行面を形成する敷設材であって、
歩行面の除電域における上記板材間に、導電性粉末を含有するゴム弾性材により形成されて導電性が付与されている除電目地材が挿着され、
上記除電目地材が、上記板材間の目地を覆う覆板と、該覆板と一体で該目地に挿着される脚部とを有する長尺材として形成されている、
ことを特徴とする除電目地を付設した合成樹脂板製敷設材。
【請求項２】
多数の合成樹脂製の板材を並設して設置することにより歩行面を形成する敷設材であって、
上記板材の全部または一部が模擬目地を有し、歩行面の除電域における該模擬目地に、導電性粉末を含有するゴム弾性材により形成されている除電目地材が挿着され、
上記除電目地材が、上記模擬目地を覆う覆板と、該覆板と一体で該模擬目地に挿着される脚部とを有する長尺材として形成されている、
ことを特徴とする除電目地を付設した合成樹脂板製敷設材。
【請求項３】
上記導電性粉末がカーボンブラックであり、上記ゴム弾性材が合成ゴムまたは軟質合成樹脂である、
ことを特徴とする請求項１または２に記載の除電目地を付設した合成樹脂板製敷設材。
【請求項４】
上記除電目地材における脚部が、覆板から垂下する脚板部の先端側から基端側に向けて両側に広がる目地幅調整片を有している、
ことを特徴とする請求項１または２に記載の除電目地を付設した合成樹脂板製敷設材。
【請求項５】
上記除電目地材の覆板を歩行面より僅かに突出するものとし、それに歩行面上におけるスリップ防止機能を付与した、
ことを特徴とする請求項１〜４のいずれかに記載の除電目地を付設した合成樹脂板製敷設材。
【請求項６】
長距離の歩行面における端部付近の除電域における上記目地または模擬目地に集中的に上記除電目地材を挿着している、
ことを特徴とする請求項１〜５のいずれかに記載の除電目地を付設した合成樹脂板製敷設材。  
【発明の詳細な説明】
【技術分野】
【０００１】
本発明は、合成樹脂板により形成され、ベランダ、濡れ縁、バルコニー、テラス、デッキ等の歩行域、あるいは、渡り廊下、橋、桟橋や浮桟橋等の歩行用通路に敷設して歩行面を形成する敷設材に関するものであり、更に具体的には、その上を歩行する間に人体に静電気が蓄積するのを抑止するための除電目地を付設した合成樹脂板製敷設材に関するものである。
【背景技術】
【０００２】
近年、合成木材あるいは人工木材等と呼ばれる発泡合成樹脂を主材とする板材が、ベランダ、濡れ縁、バルコニー、テラス、デッキ等の歩行域、あるいは、渡り廊下、橋、桟橋や浮桟橋等の歩行用通路に敷設して用いられ、その合成木材が、耐腐食性、耐久性、耐候性、耐水性、鋸による切断及び釘打ちできるという施工性等においてすぐれ、また、木質感を持たせることができるが天然木のようにささくれ立つことがないなどの特性を有していることから、その用途が拡大する傾向にある。
しかしながら、上記合成木材を各種歩行面を形成する敷設材として用いる場合に、その敷設材の設置環境によっては、その歩行面上を歩行する間に人体に静電気が蓄積し、その静電気を保有する人が金属製の手摺りやドアノブ等に触れると不快な静電気ショックを受けるという問題がある。
【０００３】
上述した合成木材等との接触による静電気の蓄積を抑制し、あるいは蓄積した静電気によるショックの緩和を図るために、従来から歩行面の一部に金属片を露出させて設置するなどの対応策が考慮されているが、本発明者の実験的考察によれば、いずれの場合にも設置コストに比して有効な効果を期待できないことが確かめられた。
【発明の開示】
【発明が解決しようとする課題】
【０００４】
本発明の技術的課題は、多数の合成樹脂製の板材を並設して設置することにより歩行面を形成する敷設材に対し、その施工時または施工後に静電気を除去するための手段を簡易に付設できるようにした合成樹脂板製敷設材を提供することにある。
本発明の他の技術的課題は、並設する合成樹脂製の板材の目地または該板材における模擬目地を利用して簡単に挿着できる除電目地を任意位置に装着可能とし、しかも除電効果においてすぐれた合成樹脂板製敷設材を提供することにある。
【課題を解決するための手段】
【０００５】
上記課題を解決するための本発明に係る除電目地を付設した第１の合成樹脂板製敷設材は、多数の合成樹脂製の板材を並設して設置することにより歩行面を形成する敷設材であって、歩行面の除電域における上記板材間に、導電性粉末を含有するゴム弾性材により形成されて導電性が付与されている除電目地材が挿着され、上記除電目地材が、上記板材間の目地を覆う覆板と、該覆板と一体で該目地に挿着される脚部とを有する長尺材として形成されていることを特徴とするものである。
【０００６】
また、本発明に係る除電目地を付設した第２の合成樹脂板製敷設材は、多数の合成樹脂製の板材を並設して設置することにより歩行面を形成する敷設材であって、上記板材の全部または一部が模擬目地を有し、歩行面の除電域における該模擬目地に、導電性粉末を含有するゴム弾性材により形成されている除電目地材が挿着され、上記除電目地材が、上記模擬目地を覆う覆板と、該覆板と一体で該模擬目地に挿着される脚部とを有する長尺材として形成されていることを特徴とするものである。
【０００７】
本発明に係る上記合成樹脂板製敷設材の好ましい実施形態においては、上記導電性粉末がカーボンブラックであり、上記ゴム弾性材が合成ゴムまたは軟質合成樹脂であるものとして構成される。
また、本発明の好ましい実施形態においては、上記除電目地材における脚部が、覆板から垂下する脚板部の先端側から基端側に向けて両側に広がる目地幅調整片を有しているものとして構成され、一方、上記除電目地材の覆板を歩行面より僅かに突出するものとし、それに歩行面上におけるスリップ防止機能を付与したものとして構成される。
更に、長距離の歩行面における端部付近の除電域における上記目地または模擬目地に集中的に上記除電目地材を挿着することもできる。
【０００８】
上記構成を有する合成樹脂板製敷設材は、合成樹脂製の板材の並設により形成した歩行面における目地あるいは模擬目地に除電目地材の脚部を押入するだけで、それを目地または模擬目地に簡単に挿着することができるので、除電目地を任意の除電域に容易に挿着することができ、しかも、本発明者の実験によれば、歩行方向に直交する方向に向けて並設した合成樹脂製の板材により歩行面を形成して、それにより形成された通路幅の全体にわたる目地に除電目地材を挿着した場合に、それを接地しなくてもすぐれた除電効果が得られることを確かめていることから、挿着した除電目地材のそれぞれに接地のための作業を行う必要がなく、目地または模擬目地への除電目地材の挿着をより簡単に行うことができる。
【発明の効果】
【０００９】
以上に詳述した本発明の除電目地を付設した合成樹脂板製敷設材によれば、多数の合成樹脂製の板材を並設して設置することにより歩行面を形成する敷設材に対し、その施工時または施工後に静電気を除去するための除電目地材を簡易に付設することにより歩行時の帯電を抑制し、静電気ショックを防止することができる。
【発明を実施するための最良の形態】
【００１０】
図１は、本発明に係る除電目地を付設した合成樹脂板製敷設材の実施の一例の要部を示し、図２はそこに用いている除電目地材の詳細を示し、また、図３は上記除電目地材を付設した合成樹脂板製敷設材の全体的構成例を示している。更に、図４は、上記合成樹脂板製敷設材の他の実施の一例を示している。
図３に示す上記合成樹脂板製敷設材は、合成木材等と呼ばれる木材を模した発泡合成樹脂製の板材１の多数を並設し、それらを図示しない支持部材上に固定して設置することにより歩行面１０を形成したものである。
【００１１】
上記板材１は、合成樹脂製であるために耐腐食性、耐久性、耐水性を有し、また、特に表面層として耐候性樹脂を被着したものはすぐれた耐候性を示し、鋸による切断及び釘打ちできるという施工性等においてもすぐれ、更に、木質感を持たせることができるが天然木のようにささくれ立つことがない、などの特性を有し、そのため、図３に示すような態様で、屋外のベランダ、濡れ縁、バルコニー、テラス、デッキ等の歩行域、あるいは、渡り廊下、橋、桟橋や浮桟橋等の歩行用通路に敷設して用いるのに有利なものであり、屋内においてフロアー材としても用いることができる。
上記板材１は、低発泡の合成樹脂により形成した板状のもので、その曲げ強度を高めるためには、必要に応じて、その成形時に内部にアルミニウム等からなる金属板１ａを埋入しておくことができる。
【００１２】
上記発泡合成樹脂製の板材１により形成した敷設材の歩行面１０上を歩行すると、その敷設材の設置環境によっては人体に静電気が蓄積されるが、この静電気の蓄積を防止し、あるいはその帯電量を軽減するため、上記歩行面１０上の除電域１１、例えば、金属製の手摺りやドアノブ等が近くにあって、静電気を保有する人がそれに触れると不快な静電気ショックを受ける域において、並設した板材１間に導電性粉末を含有するゴム弾性材により形成して導電性が付与されている除電目地材３が挿着される。特に、橋、桟橋や浮桟橋等の歩行用通路で比較的長距離の歩行面１０における端部付近は、そこを歩行する際に静電気の蓄積が予想される除電域１１であるため、その除電域１１における上記板材１間の目地に集中的に上記除電目地材３を挿着するのが有効である。
【００１３】
上記除電目地材３は、図１及び図２に示すように、上記板材１間の目地を覆う覆板４と、該覆板４と一体で該目地に挿着される脚部５とを有する長尺材として押出成形したものである。上記除電目地材３における脚部５は、覆板４から垂下する脚板部６の先端側から基端側に向けて両側に広がる目地幅調整片７を有するものとして構成している。この目地幅調整片７は、敷設材における各板材１間の目地幅が一定であるとは限らず、多少の誤差があるので、該目地幅調整片７の弾力的変形によって、それらの目地幅にばらつきのある目地に対して抜脱しないように除電目地材３を挿着するために有効なものである。なお、上記目地に対する除電目地材３の挿着は、板材１を並列させて張設する段階で行ってもよいが、板材１の張設後に、あるいは、既設の敷設材における板材１間に挿着することもできる。
【００１４】
上記敷設材が、それを構成する多数の板材１間に目地が存在しない設計になっていることもあり、その場合には上記除電目地材３を挿着することができない。このような場合には、上記敷設材を構成する板材１の全部または一部を、図４に示すように、表面に模擬目地９を有するものとして、歩行面の除電域１１に目地を介在させることなく各板材１を並設し、それらの模擬目地９に上記除電目地材３を挿着することにより、図１の敷設材の場合と同様に除電することができる。
この場合の板材１は、上記模擬目地９を設ける点を除いて図１により説明した板材と変わるところがなく、また、上記模擬目地９に挿着する除電目地材３は、図２によって先に説明した覆板４と脚部５とを有するものをそのまま用いることができるが、模擬目地９の目地幅は常に一定にできることから、若干の形状変更を行うこともできる。
【００１５】
上記除電目地材３を構成する導電性粉末としては、カーボンブラックが適し、上記ゴム弾性材としては、合成ゴム（例えば、ＥＰＤＭ：エチレンプロピレンゴム）または軟質合成樹脂が適している。
上記除電目地材３の覆板４は、歩行面より僅かに突出するものとし、それ自体を合成ゴムまたは軟質合成樹脂により形成していることから、歩行面上におけるスリップ防止機能を付与したものとすることができる。覆板４の板材１表面からの突出高さは３ｍｍ以内とする必要がある。その合成ゴムまたは軟質合成樹脂に上記スリップ防止機能を持たせるためには、その硬度を７０〜１００程度とするのが望ましい。
【００１６】
なお、上記除電域１１における板材１間の目地あるいは模擬目地９には除電目地材３を挿着するが、歩行者にこの除電目地材３を意図的に踏ませる場合には、除電すべき位置に、静電気ショックを緩和するための特定の除電域１１が存在することを表示して、通路の片隅などにその除電域１１を形成することができるが、歩行者に無意識的に除電目地材３を踏ませる場合には、歩行中に履き物が必然的に除電目地材３と接触するように、例えば除電目地材３の挿着間隔を小さくしたうえで歩幅をも配慮して除電域１１を形成することになる。
【００１７】
上記構成を有する合成樹脂板製敷設材は、合成樹脂製の板材１の並設により形成した歩行面１０における目地あるいは模擬目地に除電目地材３の脚部５を押入するだけで、それを目地または模擬目地に簡単に挿着できるので、除電目地材３を挿着した除電域１１を任意の位置に容易に形成することができ、上記歩行面１０の歩行により帯電した歩行者の静電気の電位を瞬時に低減させることができ、しかも、本発明者の実験によれば、図３に示すように、歩行方向に直交する方向に向けて並設した合成樹脂製の板材１により歩行面１０を形成して、それにより形成された通路幅の全体にわたる目地に除電目地材を挿着した場合に、それを接地しなくてもすぐれた除電効果が得られることを確かめていることから、挿着した除電目地材３のそれぞれに接地のための作業を行う必要がなく、目地または模擬目地への除電目地材３の挿着をより簡単に行うことができる。
【図面の簡単な説明】
【００１８】
【図１】本発明に係る合成樹脂板製敷設材の実施例を示す要部拡大断面図である。
【図２】上記実施例における除電目地の拡大端面図である。
【図３】本発明に係る合成樹脂板製敷設材の全体的構成を示す斜視図である。
【図４】本発明に係る合成樹脂板製敷設材の他の実施例の要部拡大断面図である。
【符号の説明】
【００１９】
１    板材
３    除電目地材
４    覆板
５    脚部
６    脚板部
７    目地幅調整片
９    模擬目地
１０    歩行面
１１    除電域
【図１】
2010112080.tif 000003
【図２】
2010112080.tif 000004
【図３】
2010112080.tif 000005
【図４】
2010112080.tif 000006